(57)【要約】カスタマイズされた量の栄養補助食品および機能性補助食品をリアルタイムでユーザに送達するための、複数の貯蔵区画を有する飲料送達装置を有するシステムおよび方法。貯蔵区画の各々は、栄養補助食品および機能性補助食品を含む少なくとも１つのシードカプセルを含むように構成される。飲料送達装置は、シードカプセルから栄養補助食品および機能性補助食品を受け入れるように構成された受容チャンバをさらに含む。シードカプセルにより供給される栄養補助食品および機能性補助食品の特定の配合を含むカスタマイズされた消費飲料を作るために、受容チャンバは、栄養補助食品および機能性補助食品と液体との混合を促進する液体へのアクセスを可能にする。【選択図】図１
2020529297.tif 000002
【特許請求の範囲】
【請求項１】
カスタマイズされた量の栄養補助食品および機能性補助食品を送達するための分配システムであって、前記分配システムは、
各々少なくとも１つのシードカプセルを貯蔵するように構成された複数の貯蔵区画を有する飲料送達装置であって、各シードカプセルは栄養補助食品および機能性補助食品を含み、各貯蔵区画は、
頂部、底部、および測定アセンブリを有する分配ユニットであって、前記頂部は第１の端部を有し、前記底部はヒンジ端部および穿孔端部を有し、前記頂部の前記第１の端部は、前記底部の前記ヒンジ端部で前記頂部を前記底部に接続し、前記頂部は前記シードカプセルを受け入れるように構成され、前記底部は漏斗部を有し、前記漏斗部は、前記底部の前記漏斗部と接続された前記シードカプセルを有する前記頂部および前記分配ユニットが前記シードカプセル内に含まれる栄養補助食品および機能性補助食品を受容ユニットへと分配するために旋回するときに、前記シードカプセル内に含まれる栄養補助食品および機能性補助食品を受け入れて分配するように構成され、前記測定アセンブリは、モータおよびオーガスクリュを備え、前記モータ４０は、前記オーガスクリュ４２を回転させてそれにより、正確な量の栄養補助食品および機能性補助食品を収集して分配するために必要な既知の回転数によって、所定量の栄養補助食品および機能性補助食品を収集するように構成される、分配ユニットをさらに備える、飲料送達装置と、
前記分配ユニットから栄養補助食品および機能性補助食品を受け取り、栄養補助食品および機能性補助食品と液体を混合するように構成された受容チャンバと、
カスタマイズされた量の栄養補助食品および機能性補助食品の分配を制御するコントローラと、
栄養分推奨エンジンを含むクラウドベースのデータセンタであって、前記栄養分推奨エンジンは、ユーザデータを収集および分析し、ユーザデータを分類し、前記ユーザデータに基づいて前記受容ユニットへと分配されるべき栄養補助食品および機能性補助食品の種類および用量を、前記コントローラを通して前記分配ユニットと通信するように構成された、クラウドベースのデータセンタと、
を備える、分配システム。
【請求項２】
前記クラウドベースのデータセンタに接続され、前記ユーザデータを前記クラウドベースのデータセンタに通信するように構成された少なくとも１つのモバイル機器をさらに備える、請求項１に記載の分配システム。
【請求項３】
前記クラウドベースのデータセンタに接続され、前記ユーザデータを前記クラウドベースのデータセンタにリアルタイムで通信するように構成された少なくとも１つの監視デバイスをさらに備える、請求項１に記載の分配システム。
【請求項４】
前記少なくとも１つの監視デバイスは、前記ユーザのバイオデータをリアルタイムで収集することができ、前記ユーザのバイオデータは、バイオエネルギーおよび栄養分の消費、バイオエネルギーおよび栄養分の摂取、心拍数および／または身体活動を含む、請求項３に記載の分配システム。
【請求項５】
前記ユーザデータは、生体認証データに関する情報、食物消費、栄養目標および活動に関する直接および間接入力を含む、請求項１に記載の分配システム。
【請求項６】
前記栄養分推奨エンジンは、個人向けの栄養混合療法プロファイルを作成し、ユーザの個人向けの栄養混合療法プロファイルおよびユーザデータに基づいて栄養補助食品および機能性補助食品の混合の特定の推奨を提供するように構成される、請求項１に記載の分配システム。
【請求項７】
ユーザ識別コンポーネントをさらに備える、請求項１に記載の分配システム。
【請求項８】
前記飲料送達装置は、ユーザによるユーザデータの入力および／または前記分配システムによる消費飲料の送達の承認を可能にするように構成されたユーザインターフェースをさらに備える、請求項１に記載の分配システム。
【請求項９】
カスタマイズされた量の栄養補助食品および機能性補助食品を送達するための分配システムであって、前記分配システムは、
各々少なくとも１つのシードカプセルを貯蔵するように構成された複数の貯蔵区画を有する飲料送達装置であって、各シードカプセルは栄養補助食品および機能性補助食品を含む、飲料送達装置と、
栄養分推奨エンジンを含むクラウドベースのデータセンタであって、前記栄養分推奨エンジンは、ユーザデータを収集および分析し、ユーザデータを分類し、前記ユーザデータに基づいて前記受容ユニットへと分配されるべき栄養補助食品および機能性補助食品の種類および用量を、前記コントローラを通して前記分配ユニットと通信するように構成された、クラウドベースのデータセンタと、
前記クラウドベースのデータセンタに接続され、前記ユーザデータを前記クラウドベースのデータセンタに通信するように構成された少なくとも１つのモバイル機器と、
前記クラウドベースのデータセンタに接続され、前記ユーザデータを前記クラウドベースのデータセンタにリアルタイムで通信するように構成された少なくとも１つの監視デバイスと、
を備える、分配システム。
【請求項１０】
分配システムのユーザ向けにカスタマイズされた量の栄養補助食品および機能性補助食品を生産および分配する方法であって、
少なくとも１つの監視デバイスからユーザデータを収集するステップであって、前記ユーザデータは、性別、年齢、体重、身長遺伝データ、個人の目標、バイオエネルギーと栄養分の消費、バイオエネルギーと栄養分の摂取、および健康データを含み、前記ユーザデータのいくつかは、クラウドベースのデータセンタに接続された前記監視デバイスを通してリアルタイムで収集される、ステップと、
前記ユーザデータに基づいて、栄養補助食品および機能性補助食品の栄養分推奨パラメータを決定するステップと、
前記栄養分推奨パラメータを前記分配システムのコントローラに通信するステップと、
前記分配システムにより栄養補助食品および機能性補助食品をユーザに分配するステップと、
を含み、
前記分配システムは、
分配ユニットおよび、各々少なくとも１つのシードカプセルを貯蔵するように構成された複数の貯蔵区画を有する飲料送達装置であって、各シードカプセルは栄養補助食品および機能性補助食品を含む、飲料送達装置と、
栄養分推奨エンジンを含むクラウドベースのデータセンタであって、前記栄養分推奨エンジンは、ユーザデータを収集および分析し、ユーザデータを分類し、前記ユーザデータに基づいて前記受容ユニットへと分配されるべき栄養補助食品および機能性補助食品の種類および用量を、前記コントローラを通して前記分配ユニットと通信するように構成された、クラウドベースのデータセンタと、
を備える、方法。
【請求項１１】
前記栄養分推奨エンジンは、個人向けの栄養混合療法プロファイルを作成し、ユーザの個人向けの栄養混合療法プロファイルおよびユーザデータに基づいて栄養補助食品および機能性補助食品の混合の特定の推奨を提供するように構成される、請求項１０に記載の方法。
【請求項１２】
前記飲料送達装置は、ユーザがユーザデータを入力することを可能にするように構成されたユーザインターフェースをさらに備える、請求項１０に記載の方法。
【請求項１３】
前記ユーザデータは、生体認証データに関する情報、食物消費、栄養目標および活動に関する直接および間接入力を含む、請求項１０に記載の方法。
【請求項１４】
前記分配システムは、前記クラウドベースのデータセンタに接続され、前記ユーザデータを前記クラウドベースのデータセンタに通信するように構成された少なくとも１つのモバイル機器をさらに備える、請求項１０に記載の方法。
【発明の詳細な説明】
【技術分野】
【０００１】
本発明は、カスタマイズされた食物製品分配システムに関し、より詳細には、カスタマイズされた量の栄養補助食品および機能性補助食品（ｄｉｅｔａｒｙ  ａｎｄ  ｎｕｔｒａｃｅｕｔｉｃａｌ  ｓｕｐｐｌｅｍｅｎｔｓ）を送達する分配システム、および分配システムの使用方法に関する。
【背景技術】
【０００２】
ヘルスケアは技術的な変革を遂げており、消費者のデジタル健康データを収集、追跡、および意味のある実用的な洞察に変換して関与を生み出すために、業界が新しいテクノロジーを活用することが不可欠である。ヘルスケア業界での消費者の関与の必要性はかつてないほど高まっている。デジタルヘルスの格差を埋める触媒が必要であり、その触媒は栄養補助食品である。
【０００３】
今日、栄養補助食品を定期的に消費する２億人以上のアメリカ人がいる。しかし、これらのサプリメントには個人向けの視点が欠けており、「万能」アプローチにより、多くの消費者は、効果のない用量（ｄｏｓａｇｅ）を摂取するか、または所望の効果および／または結果を達成しないサプリメントを単に摂取することにより、所望の健康利益を達成できない。
【０００４】
最も有益な製品と特定の健康問題に対処する方法を理解するために、多くの消費者はインターネットを利用する。
【０００５】
インターネットを通じて、個人は、より健康的な個人のライフスタイルについて自らを教育するために健康および栄養の情報を探し、この詳細な情報を使用して情報に基づく購入を決定する。ただし、インターネットを介してこの情報を利用できる場合でも、個々の消費者が無数の健康調査をナビゲートし、消費すべきものとすべきでないものを決定することは非常に困難である。さらに、多くの消費者はそのような重要な健康情報を却下し、平均的な人のために作られた一般的なサプリメントから十分な量のビタミン、ミネラル、抗酸化剤を確実に摂取するために、１日８、１２、または１８個の錠剤を消費する。
【０００６】
残念ながら、一般的な人のために作られたこれらの一般化された処方サプリメントを摂取することは、錠剤の各メニューに微量栄養分だけでなく、バインダ、過剰な充填剤、潤滑剤を摂取することを意味する。これらのさまざまな錠剤は、購入するのが難しい場合が多く、飲み込むのが難しく、不要なビタミンやミネラルが含まれているか、実際に必要なものが十分に含まれていない場合がある。その結果、そのようなプログラムが完全な健康の可能性を実現するのに２、３か月かかるより前に、多くの個人が個人的なサプリメントプログラムを完全にやめてしまう。
【０００７】
さらに、消費者が栄養補助食品の有効性を測定するための容易にアクセスできる、または信頼できる方法はない。サプリメントが意図した効果を持っているかどうかを知らずに、何百万人もの人々がサプリメントの摂取が健康やフィットネスの目標に影響を与えるかどうかを知らずに習慣的に同じサプリメントを消費している。
【０００８】
消費された栄養および／またはサプリメントに含まれる栄養分を監視することは、多くの場合、困難または面倒である。場合によっては、消費された食べ物や飲み物、または食べ物に含まれる他の物質の栄養分や、病気を引き起こしたり、アレルギーを悪化させたりする薬剤を監視するのが難しい場合もある。例えば、人々は自分にとって有害なすべての栄養分を覚えるかまたは一般的に知るのが困難な場合がある。その場合、例えば買い物をするとき、特定の製品が自分に適しているかどうかを知るのは難しいかもしれない。特に、１日または１週間で得られた栄養分の全体的な効果を考えると、特定の食品の適性、良さ、および／または効果を、１日または１週間で得られた栄養分の全体的な効果と比較して見つけることはほとんど不可能である。
【０００９】
一方、栄養補助食品および食品メーカーは、研究開発、製品テスト、および製品の改善と売上増加のためのデータ取得に毎年数十億ドルを費やしている。しかし、法外な支出にもかかわらず、製品の最初の販売時点以降に市販後の製品使用データを収集するための信頼できる方法はない。さらに重要なことは、栄養補助食品と食品の実世界の有効性データを大規模に取得することは本質的に不可能である。言い換えれば、栄養補助食品と食品ブランドは、自社製品が顧客に意図した効果をもたらしているかどうかを判断できない。
【００１０】
さらに、ヘルスケアシステムは、病気、慢性疾患の発症、怪我などのすでに発生している健康上の出来事への対応に重点を置いている。ただし、最近では、病気や怪我の防止に重点を置くことで、ヘルスケアのこの反応モデルが緩和されている。
【００１１】
予防の焦点は、遺伝的スクリーニングなどの特定の病気の危険因子／素因の評価、または代わりに、栄養摂取や身体活動のレベルなどのライフスタイルの選択に基づいて、病気の早期発見のための医学的スクリーニングと特定の状態のリスクがある可能性のある個人の特定に向けられている。取得したパラメータは、病気の早期発見を可能にするために医療提供者または消費者にフィードバックを提供しながら、後続の分析のために処理装置に送信できる。
【００１２】
さらに、栄養、身体活動、フィットネスなどのライフスタイルの選択は、個人の全体的な健康（ヘルスおよびウェルネス）に重要な役割を果たす。糖尿病などの多くの慢性疾患の場合、栄養と体力の観点から推奨されるライフスタイルの選択肢を遵守する能力は、生活の質を維持し、慢性疾患を管理する上で重要な役割を果たす。しかし、現在、消費者には、栄養、フィットネス／身体活動レベル、および在宅医療とバイタル測定（すなわち、生理学的パラメータの測定）を含む、臨床環境以外の健康（ヘルスおよびウェルネス）の側面を管理できる多くのリソースがない。
【００１３】
したがって、消費者向けの生理学データ、栄養データ、および身体活動データのそれぞれを含む、健康（ヘルスおよびウェルネス）データをキャプチャおよび追跡できる、使いやすく理解しやすい個人向けの健康（ヘルスおよびウェルネス）管理システムに統合するシステムおよび方法が必要である。リアルタイムの健康（ヘルスおよびウェルネス）データに基づいて、消費者に分配される栄養補助食品および機能性補助食品のデジタルカスタマイズ可能な分配システムも必要である。
【００１４】
さらに、長年にわたって出版物やスーパーマーケットのチェックアウトスタンドには、おおよそのカロリー／脂肪／ナトリウム、その他のジェネリック、そして時にはブランドアイテムの内容がリストされていた。これらのカウントは、食事を監視するために使用され、消費者が食品を調べ、１食分量を推定し、食品または栄養補助食品で見つかった栄養価を決定する必要があった。ＦＤＡは現在、特定の栄養成分を含む食品および栄養製品の表示を義務付けている。これにより、消費者は、問題の製品専用に決定された栄養値を使用することにより、栄養摂取量をより正確に推定することができた。
【００１５】
したがって、本発明の目的は、消費者のリアルタイムのデジタル生成健康（ヘルスおよびウェルネス）データに応じて、科学的およびデジタル的に検証されたモジュラーアルゴリズムに基づいて、カスタマイズされた栄養分を自律的に選択、調整、推奨、および分配する、栄養補助食品および機能性補助食品用のデジタル的にカスタマイズ可能な分配システム、およびそのような分配システムの使用方法、を開示することである。
【発明の概要】
【課題を解決するための手段】
【００１６】
本発明は、カスタマイズされた量の栄養補助食品および機能性補助食品をユーザに送達するための、複数の貯蔵区画を有する飲料送達装置（ｂｅｖｅｒａｇｅ  ｄｅｌｉｖｅｒｙ  ａｐｐａｒａｔｕｓ）を有するシステムを開示する。貯蔵区画の各々は、栄養補助食品および機能性補助食品を含む少なくとも１つのシードカプセルを含むように構成される。飲料送達装置は、シードカプセルから栄養補助食品および／または機能性補助食品を受け入れるように構成された受容チャンバをさらに含む。シードカプセルにより供給される栄養補助食品および機能性補助食品の特定の配合を含むカスタマイズされた消費飲料を作るために、受容チャンバは、栄養補助食品および機能性補助食品と液体との混合を促進する液体へのアクセスを可能にする。
【００１７】
飲料送達装置に隣接して、または代替として、飲料送達装置の一部は、液体を受容チャンバに提供するように構成された容器を有してもよい。
【００１８】
本開示の一実施形態では、ユーザデータは、性別、年齢、体重、身長遺伝データ、バイオエネルギーと栄養分消費、バイオエネルギーと栄養分の摂取、および他の健康データを含む。ユーザデータは、身体活動レベルと体力データも含み得る。さらに、少なくとも一部のユーザデータは、少なくとも１つのコンピュータープログラムを用いてクラウドベースのデータセンタに接続された監視デバイスによってリアルタイムで収集される。さらに、ユーザデータの一部は、監視および／または診断デバイスまたは飲料送達装置のユーザインターフェースを介してユーザ入力によって直接提供されてもよい。
【００１９】
栄養補助食品および機能性補助食品の栄養分推奨パラメータは、ユーザデータとプリセットおよび／または所定のユーザの目標およびパラメータに基づいており、栄養分推奨エンジンによって決定され、分配システムのコントローラに通信される。ユーザが確認すると、次いで、飲料送達装置は、カスタマイズされた量の栄養補助食品および機能性補助食品をカスタマイズされた消費飲料に分配する。
【００２０】
栄養分推奨エンジンは、ソフトウェア、ルーチン、プログラム、アルゴリズム、コード、ロジックなどの形式の実行可能命令のセットを含んでもよい。これにより、例えば、栄養補助食品および機能性補助食品の特定の成分を含むカスタマイズされた消費飲料の決定が容易になる。
【００２１】
本開示の一実施形態では、クラウドベースのデータセンタは、ユーザデータを生成し、ユーザデータをクラウドベースのデータセンタに通信する１つ以上の監視デバイスに接続される。ユーザデータは、例えば、監視デバイス、モバイル機器、または飲料送達装置のユーザインターフェースを介したユーザ入力によっても生成される。
【００２２】
クラウドベースのデータセンタは、個人向けの栄養分混合療法プロファイル（ｎｕｔｒｉｅｎｔ  ｍｉｘ  ｒｅｇｉｍｅｎ  ｐｒｏｆｉｌｅ）を作成し、ユーザの個人向けの栄養分混合療法プロファイルおよびユーザデータに基づいて栄養補助食品および／または機能性補助食品の混合物の特定の推奨を提供するように構成された栄養分推奨エンジンをさらに備える。データの一部は収集され、リアルタイムでクラウドベースのデータセンタに送信される。ユーザデータには、プロファイリングに関する情報、生体認証データ、食物消費、栄養目標および活動に関する直接および間接的な入力が含まれる。
【００２３】
クラウドベースのデータセンタは、少なくとも１つの監視デバイスからユーザデータの自動リアルタイム更新を受信し、更新されたユーザデータを栄養分推奨エンジンに通信し、栄養補助食品および機能性補助食品の個人向けの混合のための特定の更新された推奨を決定するようにも構成される。そして、栄養補助食品および機能性補助食品の個人向けの混合は、ユーザの確認に応じて分配装置によって分配される。
【００２４】
本発明は、以下に与えられる詳細な説明および例示のためにのみ与えられ、したがって本発明を限定しない添付図面からより完全に理解されるであろう。
【図面の簡単な説明】
【００２５】
【図１】図１は、本開示による、カスタマイズされた量の栄養補助食品および機能性補助食品をユーザに送達するためのシステムの例示的実施形態の概略図である。
【図２】図２は、本開示による飲料送達装置の例示的実施形態の図である。
【図３Ａ】図３Ａは、本開示による飲料送達装置の分配ユニットの例示的実施形態の斜視図である。
【図３Ｂ】図３Ｂは、本開示による飲料送達装置の測定アセンブリの例示的実施形態の斜視図である。
【図３Ｃ】図３Ｃは、本開示による飲料送達装置の測定アセンブリと一緒の分配ユニットの例示的実施形態の側面図である。
【図４】図４は、本開示による、カスタマイズされた栄養補助食品および機能性補助食品をユーザに送達する方法のフローチャートを示す。
【発明を実施するための形態】
【００２６】
本発明の態様は、本発明の特定の実施形態を対象とする以下の説明および関連する図面に開示される。本発明の範囲から逸脱することなく、代替実施形態を考案し得る。さらに、本発明の関連する詳細を不明瞭にしないために、本発明の周知の要素は、詳細に説明されないかまたは省略される。
【００２７】
「機能性食品」という言葉は、食品に含まれる基本的な栄養価に加えて、健康上の利点が追加された食品源に由来する任意の製品を表すために使用される用語である。このような製品は、慢性疾患の予防、健康の改善、老化プロセスの遅延、平均余命の延長、または身体の構造または機能のサポートをし得る。
【００２８】
「例示的」という言葉は、本明細書では「例、事例、または例示として役立つ」ことを意味するために使用される。本明細書で「例示的」として説明される実施形態は、必ずしも他の実施形態よりも好ましいまたは有利であると解釈される必要はない。同様に、「本発明の実施形態」という用語は、本発明のすべての実施形態が、議論された特徴、利点または動作モードを含むことを必要としない。
【００２９】
本明細書で使用される用語は、特定の実施形態のみを説明するためのものであり、本発明の実施形態を限定することを意図するものではない。本明細書で使用する場合、単数形「ａ」、「ａｎ」、および「ｔｈｅ」は、文脈からそうでないことが明確に示されていない限り、複数形も含むことを意図する。本明細書で使用される場合、用語「ｃｏｍｐｒｉｓｅｓ」、「ｃｏｍｐｒｉｓｉｎｇ」、「ｉｎｃｌｕｄｅｓ」、および／または「ｉｎｃｌｕｄｉｎｇ」は、述べられた特徴、整数、ステップ、操作、要素、および／または構成要素の存在を特定することをさらに理解されたい。ただし、１つ以上の他の機能、整数、ステップ、操作、要素、コンポーネント、および／またはそれらのグループの存在または追加を排除しない。
【００３０】
本発明は、カスタマイズされた量の栄養補助食品および機能性補助食品をユーザに送達するためのシステム１００を対象とする。本開示の一態様は、図１に概略的に示される。図１は、クラウドベースのデータセンタ５８、ユーザインターフェース５２と通信する栄養分推奨エンジン５５、および飲料送達装置１０を含む、カスタマイズされた量の栄養補助食品および機能性補助食品をユーザに送達するためのシステム１００から理解することができる。飲料送達装置１０は、ユーザインターフェース５２をさらに含む。
【００３１】
本発明の別の実施形態では、システム１００はさらに、栄養分推奨エンジン５５およびクラウドベースのデータセンタ５８と通信するユーザ識別コンポーネント５７を含む。
【００３２】
本開示の一実施形態では、ユーザ識別コンポーネント５７は、ユーザがシステム１００と対話するたびに個人プロファイルを使用する。オンボーディングプロセス中に、ユーザは、ユーザインターフェース５２またはユーザによりクラウドベースのデータセンタ５８に送信される別のデバイスを介して自分のプロファイルを作成し、プロファイリング、生体認証データ、栄養目標、アクティビティなどに関する情報を提供する。ユーザによるシステム１００とのその後のすべての対話は、自分の一意のプロファイル全体でユーザ識別をトリガする。
【００３３】
本開示の一実施形態では、栄養分推奨エンジン５５は、飲料送達装置１０上で稼働される。あるいは、栄養分推奨エンジン５５は、クラウドベースのデータセンタ５８上でリモートで稼働される。
【００３４】
栄養分推奨エンジン５５は、個人向けの栄養分混合療法プロファイルを作成するように構成され、そして、ユーザの個人向けの栄養分混合療法プロファイルおよび一部が収集されてクラウドベースのデータセンタにリアルタイムで送信されるユーザデータに基づいて、栄養補助食品および／または機能性補助食品の混合の特定の推奨を提供するように構成される。
【００３５】
ユーザデータは、プロファイリングに関する情報、生体認証データ、食物消費、栄養目標および活動に関する直接および間接的な入力を含む。
【００３６】
クラウドベースのデータセンタ５８は、栄養補助食品および機能性補助食品、ユーザ識別、ユーザデータ、ユーザ選好などのデータを含み得る。
【００３７】
図２は、本開示の実施形態による飲料送達装置１０を示す。飲料送達装置１０は、複数の貯蔵区画１２を有する。貯蔵区画１２は、図１に示すように、装置１０の両側および／または装置１０の頂部に配置され得る。装置１０は少なくとも９つの貯蔵区画１２を有することが好ましい。
【００３８】
貯蔵区画１２の各々は、栄養補助食品および機能性補助食品を含む少なくとも１つのシードカプセル１４を含むように構成される。
【００３９】
本開示の一実施形態では、シードカプセル１４は、装置１０の貯蔵区画１２内のセンサ１１（図示せず）によって読み取ることができる一意の識別子（例えば、ＲＦＩＤストリップまたはバーコード）を有する。シードカプセル１４が貯蔵区画１２に挿入されると、センサ１１は、識別子上の一意の識別コードを読み取り、次いで、そのコードをデータセンタ５８に送信する。次に、ソフトウェアプログラムアプリケーションは、識別コードをデータセンタ５８のコードデータベースに登録されたコンテナコードと照合することを試みる。一致しない場合、シードカプセル１４は拒否される。他方、識別コードが容器と一致する場合、ソフトウェアプログラムは、シードカプセル１４に含まれる栄養分の種類、およびシードカプセル１４の内容物が安全に摂取できるかどうか（例えば、シードカプセル１４に含まれるサプリメントの回収、期限切れ、またはコードが既に登録／使用された場合）を決定する。ソフトウェアプログラムが、サプリメントがすべての事前設定要件を満たしていないと判断する場合、シードカプセル１４は拒否される。ソフトウェアプログラムが、サプリメントがすべての事前設定パラメータを満たしていると判断する場合、シードカプセル１４は、ユーザの特定の装置に登録されて、使用できる状態になる。
【００４０】
飲料送達装置１０は、シードカプセル１４から栄養補助食品および機能性補助食品を受け入れるように構成された受容チャンバ１６をさらに有する。受容チャンバ１６は、シードカプセル１４により供給される栄養補助食品および機能性補助食品の特定の配合を含む消費飲料を作るために、栄養補助食品および機能性補助食品の液体との混合を促進する液体へのアクセスを可能にする。
【００４１】
本開示の一実施形態では、装置１０は、容器１８をさらに含む。容器１８は、液体を受容チャンバ１６に供給するように構成される。代替実施形態では、容器１８は、液体の送達に適した従来の手段によって受容チャンバ１６に接続された独立型ユニットであることができる。
【００４２】
本開示のさらに別の実施形態では、受容チャンバは、装置１０から取り外して飲料を消費するために使用することができるカップ１６’であることができる。この実施形態では、ユーザは、水または別の液体をカップ１６’に直接加え得る。カップ１６’は、サプリメントと液体の混合を促進し、ユーザによる固体および半固体製品の添加を可能にするために、ミキサ・ブレンダ２０をさらに含み得る。
【００４３】
飲料送達装置１０はまた、コントローラ５００を含み、コントローラ５００は、例えば栄養分推奨エンジン５５からコマンドを受信し、ユーザデータに基づいて受容チャンバ１６、１６’へと分配されるべき栄養補助食品および機能性補助食品の種類および用量を分配ユニット２２と通信するように構成される。コントローラは、データセンタ５８から受信したユーザデータを、栄養分推奨エンジンによって提供されるかまたはユーザによって事前設定されたパラメータと比較するように構成されてもよい。
【００４４】
本開示の一実施形態では、飲料送達装置１０のコントローラ５００は、プロセッサ、マイクロプロセッサ、デジタル信号プロセッサ、または制御接続を提供する他の任意の論理回路または回路の組み合わせとして実施され得る。コントローラ５００は、データセンタ５８とソフトウェアアプリケーション、例えば、ユーザインターフェース５２またはユーザの無線デバイス（例えば、モバイル電話、タブレット、またはパーソナルコンピュータ）上のモバイルアプリケーションとの間のリンクである。新しいユーザデータが利用可能になるたびに、推奨のパラメータ、推奨時間、栄養成分、量、結合係数が影響を受ける。これは、栄養分推奨エンジン５５に電力を供給するモジュラーアルゴリズムによって決定される。このアルゴリズムは、２００以上のデータポイントに対応できる。１つまたはすべてのデータポイントが推奨に影響する可能性がある。ユーザは、推奨される栄養分を受け入れ、拒否、または置換できる。
【００４５】
本開示の一実施形態では、装置１０は、図３Ａ〜図３Ｃに示す分配ユニット２２をさらに含む。各貯蔵区画１２は、分配ユニット２２を有する。分配ユニットは、シードカプセル１４に含まれるサプリメントの量を分配するように構成される。
【００４６】
分配ユニットは、頂部２４、底部２６、および測定アセンブリ２８を有する。頂部２４は第１の端部３０を有し、底部２６はヒンジ端部３２および穿孔端部３４を有する。頂部２４の第１の端部３０は、底部２６のヒンジ端部３２で頂部２４を底部２６に接続する。
【００４７】
図３Ａ〜図３Ｃに示すように、頂部２４は、シードカプセル１４を受け入れるように構成される。底部２６は漏斗部３６を有し、漏斗部３６は、頂部２４が底部２６の漏斗部３６に接続されるシードカプセル１４を有するときに、シードカプセル１４内に含まれる栄養補助食品および機能性補助食品を受け入れて分配するように構成され、そして分配ユニット２２は、栄養補助食品および機能性補助食品を受容チャンバ１６に注ぎ込むために機械的に枢動する。測定アセンブリ２８は、開口部３８で分配ユニット２２に接続される。
【００４８】
図３Ｂは、本開示の一実施形態による測定アセンブリ２８を示す。測定アセンブリは、シードカプセル１４に含まれる栄養補助食品および機能性補助食品を質量および体積によって測定するように構成される。
【００４９】
本開示の一実施形態によれば、測定アセンブリ２８は、モータ４０およびオーガスクリュ４２を備える。正確な量のサプリメントを収集して受容チャンバ１６またはカップ１６’に分配するために、モータ４０は、オーガスクリュ４２を回転させることにより、必要な既知の回転数によりシードカプセルから所定のサプリメントを収集するように構成される。
【００５０】
加えて、オーガスクリュ４２の回転数は、所定量のサプリメントが分配された後、シードカプセルに残っているサプリメントの量を制御するために使用される。すべてのシードカプセルは、オーガスクリュ４２を一定量だけ回転できるように事前登録される。この回転数に達すると、シードカプセル１４は、サプリメントを分配できなくなる。次に、ユーザは、消費されたシードカプセル１４を取り外して交換する。
【００５１】
本開示によれば、サプリメントの正確な量を測定する他の手段を使用できることを理解されたい。例えば、従来のマルチヘッドスケールと同様に、容積用量測定装置を使用できる。振動およびさまざまなベルト投与を使用してもよい。
【００５２】
本開示の一実施形態による飲料送達装置１０は、タッチスクリーンディスプレイ５０をさらに備える。タッチスクリーンディスプレイ５０は、システムユーザからのデータ収集のための入力装置と、例えば、ユーザの健康目標状態またはシステム状態に関する情報を表示するための出力装置の両方として機能する。タッチスクリーン５０は、ユーザとシステム１００との間の情報の収集および表示を容易にする役割を果たす一連のユーザインターフェース（ＵＩ）５２を表示する。
【００５３】
ユーザデータは、さまざまな手段で収集され得る。オンボーディングプロセスは、ユーザインターフェース５２を介してユーザにより、または、例えばＷＩ−ＦＩ（登録商標）、Ｂｌｕｅｔｏｏｔｈ（登録商標）またはＮＦＣ／ＲＦＩＤによってシステム１００に接続されている例えばパーソナルコンピュータ６３またはモバイル機器６２によりリモートで、開始できる。各リモートデバイスはまた、ユーザデータの送信を容易にする独自のユーザインターフェースを含む。
【００５４】
情報の交換をさらに促進するために、マイクロホン６４を使用して口頭コマンドをシステム１００に入力することができ、そして、スピーカ６６を使用して選択肢および他の情報をユーザに伝えることができる。マイクロホン６６を介した言語コマンドは、音声認識ソフトウェアを使用して、栄養分推奨エンジン５５によって解釈できる命令に変換される。加えて、飲料送達装置１０は、情報の交換およびユーザ体験をさらに強化するためのカメラを含んでもよい。
【００５５】
本開示の一実施形態によれば、ユーザは、例えば、名前、年齢、性別、身長、体重、および、健康、ウェルネスおよび目標評価アンケートに関する情報を提供するオンボーディングプロセスを通して進行するよう依頼される。
【００５６】
ユーザは、さまざまなプロバイダ（例えばＵｂｉｏｍｅまたはＯｒｉｇ３ｎ）を介して、ゲノムおよびマイクロバイオーム（ｍｉｃｒｏｂｉｏｍｅ）のシーケンス用にＤＮＡサンプル（唾液、便、血液経由）を提出してもよい。ゲノムおよびマイクロバイオームのシーケンスは、ユーザの遺伝的栄養プロファイルおよびマイクロバイオームの特性によって規定される性質を決定するために使用される。
【００５７】
ユーザは、ユーザの臨床化学、疾患、疾患プロセス、および感受性に関するより詳細な情報を受け取るために、サードパーティプロバイダを通じて診断分析のために血液および／または生体サンプルを提出してもよい。
【００５８】
上記の分析によって提供される情報は、ユーザがタッチスクリーンディスプレイ５０、モバイル機器のユーザインターフェースを介して送信するか、またはサードパーティの分析プロバイダがデータセンタ５８に直接提供し得る。
【００５９】
ユーザデータを生成するさらに別の方法は、例えば、Ａｐｐｌｅ（登録商標）ｉＷａｔｃｈ、Ｆｉｔｂｉｔ（登録商標）のようなバイオセンシングウェアラブルデバイス、またはユーザのバイオデータを収集してそのユーザデータをデータセンタ５８に送信できる他の同様のデバイスであることができる。
【００６０】
本開示の一実施形態では、ユーザデータは、例えばデジタル体重および体脂肪率スケール、デジタルグルコースレベル測定デバイスなどの非装着型センサ出力を通じて収集することもできる。
【００６１】
ユーザは、例えば、装置１０またはモバイル機器６２のユーザインターフェース（ＵＩ）５２を介して栄養情報を入力してもよい。栄養情報には、例えば、消費された食事または食物カロリーの摂取量が含まれ得る。ユーザが食品項目の特定のカロリー数を決定できるようにするさまざまなモバイルアプリケーションがある。次いで、この栄養情報は、栄養分推奨エンジン５５によって分析されてその計算、予測、および／または推奨に統合されるために、データセンタ５８に提出される。
【００６２】
ウェアラブルデバイスは、ユーザデータの入力に役立ってもよい。例えば、ウェアラブルデバイスは、食物カロリー、マクロ栄養分および微量栄養分の「出力」、すなわち運動ルーチン中に拡大されるカロリー、発汗によって失われる微量栄養分、筋肉の構築に必要なタンパク質を提供し得る。
【００６３】
ユーザが現在の健康、フィットネスおよび他の個人的な目標を達成するために、栄養分推奨エンジン５５は、これらの情報入力を分析して、ユーザが消費するオメガ−３など、ビタミン、ミネラル、マクロ栄養分、プロおよびプレバイオティクス、ハーブ、および特殊栄養分の範囲を推奨する。
【００６４】
図４は、システム１００がカスタマイズされた飲料をユーザに送達する本開示の実施形態を示す。栄養分推奨エンジン５５は、個人向けの行動計画（例えば、食事療法、栄養療法、サプリメント／ビタミン、および体力の組み合わせ）をユーザに提供するように構成される。個人向けの行動計画は、スケジュールと栄養療法、例えば特定の栄養分をいつ、どのような組み合わせで、どれくらいの量摂取するか、を含んでもよい。ユーザのゲノムレポートおよび他のユーザデータに基づいて、フィットネス療法があってもよい。
【００６５】
本開示の一実施形態では、栄養分推奨エンジン５５は、予測分析モデルを通じて、例えば診断テストおよびＥＨＲ／ＥＭＲからのユーザの縦断的および履歴データを分析して、行動および生理学的パターンを識別し、最終結果を測定するように構成される。予測分析モデルは、識別されたパターンを使用して、パターンのポジティブおよび／またはネガティブな軌道を予測し、概して長期間（月から年）にわたってパターンがユーザの健康に与える影響を予測する。栄養分推奨エンジン５５は、閉フィードバックループを使用して、予測中に収集されたデータに対する予測時に利用可能であったデータに基づいて、以前の予測の精度を測定することにより、モデルによって生成される予測の信頼性を向上させる。
【００６６】
栄養分推奨エンジン５５の学習手法は、栄養分推奨エンジン５５によって採用され、履歴データのサンプルサイズが大幅に小さいデータからサプリメントの推奨の特定の健康結果を予測する。栄養分推奨エンジン５５は、例えば、バイオセンシングウェアラブルからリアルタイムで高解像度のユーザ生成データを吸収して、ユーザの健康に対する栄養分推奨の意図された影響と現実世界の測定および結果との違いを分析する。栄養分推奨エンジン５５は、推奨の精度を決定し、その有効性を経時的に測定して、推奨の背後にある計算を検証または修正する。
【００６７】
この開示で説明したように、バイオセンシングウェアラブル、ＥＨＲ／ＥＭＲ、臨床記録、健康／フィットネス／ウェルネスアプリケーション、健康データアグリゲータ／リポジトリ／データセンタ５８に接続されているデバイスデータストア（Ｇｏｏｇｌｅ  Ｆｉｔ、Ａｐｐｌｅ  Ｈｅａｌｔｈ、Ｓａｍｓｕｎｇ  Ｓ  Ｈｅａｌｔｈ、Ｍｉｃｒｏｓｏｆｔ  Ｈｅａｌｔｈなど）は、栄養分推奨エンジン５５によって集計される。このデータの解答は、履歴間隔からリアルタイム間隔までさまざま可能である。本開示で説明する、または後に開発されるデータソースから新しいデータを受信すると、栄養分推奨エンジン５５は以前の値の記録を生成し、最新の値と測定値でユーザのデータプロファイルを更新する。エンジン５５は、例えば、栄養分および栄養補助食品の量を増減する、栄養分を追加または除去する、または消費のタイミングを変更することによって、ユーザの栄養消費および推奨を自動的かつリアルタイムで調整するために、更新されたデータ値および測定値を利用する。
【００６８】
変更にすぐに適応するシステム１００の能力は、一意の健康サインの作成を許容する。
【００６９】
栄養療法については、ユーザは、システム１００を通じてカスタマイズされた栄養補助食品および機能性補助食品を１日を通じて複数回、好ましくはユーザが目覚めたとき、各食後、フィットネス運動の前、最中、後、および睡眠前に提供され得る。
【００７０】
本開示の一実施形態では、ユーザの身体が目標（例えば、予め設定したパラメータ）を達成するために必要な栄養分の正確な量を計算するために、栄養分推奨エンジン５５は、栄養バランスコンセプト（ＮＢＣ）を利用する。
【００７１】
ＮＢＣは、ＵＳＤＡ食品組成データベース（リリース２７）を使用して開発されて、２０００カロリーの食品パターンのＭｙＰｌａｔｅ  ７日間サンプルメニューで示された。ＮＢＣのコンセプトは、特定の食品、食事、または食事に関する３つの特定の指標、つまり適格性指数（ＱＩ）、不適格性指数（ＤＩ）、および栄養バランス（ＮＢ）に基づく。ＱＩおよびＤＩは、それぞれ、２７の必須栄養分と６つの栄養分の負の健康結果に関連する内容から決定された。３番目の指標である栄養バランス（ＮＢ）は、適格性指数（ＱＩ）から導出されて、食品中の適格な栄養分の相対含有量に関する重要な情報を提供した。適格性および不適格性指数（ＱＩおよびＤＩ）は、エネルギー内容に対して標準化されているため、特定の食品／食事／ダイエットおよび特定の消費者年齢グループの両方で定数になり、異なる食品を組み合わせたときに栄養品質を予測するアルゴリズムを開発することを可能にする。さまざまな食品を複合食事と毎日の食事に組み合わせると、ＱＩ値が１に近くなり（栄養密度がエネルギー密度とよりよく均衡化したことを示す）、ＤＩ値が１．０未満（不適格性の栄養分の許容レベルを示す）になり、ＮＢ値の増加（食品の相補性と適格な栄養分のより良い供給を意味する）によって、栄養の質が向上につながる。栄養バランスコンセプト（ＮＢＣ）は、栄養プロファイリングへの新しいアプローチと、食事および総ダイエットのコンテキストでの個々の食品の栄養評価から複数の食品の栄養評価への第１段階を表現する。
【００７２】
本発明は、前の段落で説明したＮＢＣの利用に限定されないことが理解される。さらに、栄養分推奨エンジン５５は、ユーザが自分の目標を達成するために必要なサプリメントの正確な量および／または分量を計算するために、単独または組み合わせてさまざまな概念、方法および／またはアルゴリズムを利用し得ることを理解されたい。他の既知の方法は、ＤＲＩ（毎日必要な摂取量）、ＮＲＶ（栄養分参照値）、または他の公に開示されたまたは私的な方法、である。
【００７３】
一定期間後、サプリメントに意図した効果があり、ユーザが意図した結果を達成しているかどうかを確認するために、ユーザは、分析のために血液サンプルを提出しえる。血液分析は、ユーザの体に必要な栄養分の現在のレベルを示す。
【００７４】
また、好ましくは、血液分析およびマイクロバイオームのシーケンスは、栄養分推奨エンジン５５によるサプリメント推奨が意図した効果を有することを検証するために、好ましくは６ヶ月間隔で定期的に実行されるべきである。
【００７５】
このように本発明を説明したが、本発明は多くの方法で変更し得ることは明らかであろう。そのような変形は、本発明の精神および範囲からの逸脱とみなされるべきではなく、当業者に明らかなそのような修正はすべて、添付の特許請求の範囲内に含まれるものとする。
【図１】
2020529297.tif 000003
【図２】
2020529297.tif 000004
【図３Ａ】
2020529297.tif 000005
【図３Ｂ】
2020529297.tif 000006
【図３Ｃ】
2020529297.tif 000007
【図４】
2020529297.tif 000008
【国際調査報告】
2020529297.tif 000009
2020529297.tif 000010
2020529297.tif 000011
2020529297.tif 000012